(57)【特許請求の範囲】
【請求項１】
ＩＴＵ−Ｔ勧告Ｖ．９２に対応する通信装置において、
クイックコネクトを有効とするかまたは無効とするかを選択する手段と；
上記クイックコネクトの無効が選択されている場合は、上記クイックコネクトを実行せずに、データ通信を実行し、上記クイックコネクトの有効が選択されている場合には、上記クイックコネクトを実行し、データ通信を実行する制御手段と；
上記クイックコネクトの有効、無効を記憶する手段と；
を有し、
上記クイックコネクトの有効が選択されて、事前にＩＴＵ−Ｔ勧告Ｖ．９２に対応する通信が成立している相手に発呼する場合に、クイックコネクトを実行することを特徴とする通信装置。
【請求項２】
請求項１において、
上記クイックコネクトの無効が選択されている場合には、フェーズ１、フェーズ２、フェーズ３を短縮せずに実行し、クイックコネクトの有効が選択されている場合には、短縮されたフェーズ１、フェーズ２、フェーズ３を実行することを特徴とする通信装置。
【請求項３】
ＩＴＵ−Ｔ勧告Ｖ．９２に対応する通信方法において、
クイックコネクトを有効とするかまたは無効とするかを選択するステップと；
上記クイックコネクトの無効が選択されている場合には、上記クイックコネクトを実行せずに、データ通信を実行し、上記クイックコネクトの有効が選択されているときには、上記クイックコネクトを実行し、データ通信を実行する制御ステップと；
を有し、
上記クイックコネクトの有効、無効を記憶し、
上記クイックコネクトの有効が選択され、事前にＩＴＵ−Ｔ勧告Ｖ．９２に対応する通信が成立している相手に発呼する場合に、クイックコネクトを実行することを特徴とする通信方法。
【請求項４】
請求項３において、
上記クイックコネクトの無効が選択されている場合には、フェーズ１、フェーズ２、フェーズ３を短縮せずに実行し、クイックコネクトの有効が選択されている場合には、短縮されたフェーズ１、フェーズ２、フェーズ３を実行することを特徴とする通信方法。
【請求項５】
モデムを用いて通信する通信方法において、
特定のモデムモードでの通信を行う前に、相手モデムとの間で、機能情報の交換を行う第１ステップと；
機能情報の交換に引き続いて、通信チャネルの回線特性の測定とレンジングとを実行する第２ステップと；
さらに等価器とエコーキャンセラのトレーニング、デジタル減損量学習シーケンスを実行する第３ステップと；
上記第１のステップを少なくとも一部を短縮して行う第４ステップと；
上記第２のステップを少なくとも一部を短縮して行う第５ステップと；
上記第３のステップの少なくとも一部を短縮して行う第６ステップと；
上記第１、第２、第３のステップによる通信を行うか、上記第４、第５、第６のステップによる通信を行うかを選択するステップと；
上記第４、第５、第６のステップによる通信を行うことが選択され、事前に第１、第２、第３のステップによる通信が成功したあて先へ発呼する場合に、上記第４、第５、第６のステップによる通信を行うステップと；
を有することを特徴とする通信方法。
【請求項６】
ＩＴＵ−Ｔ勧告Ｖ．９２に対応する通信を実行する通信プログラムにおいて、
クイックコネクトを有効とするかまたは無効とするかを、ＣＰＵが選択するステップと；
上記クイックコネクトの無効が選択されている場合には、上記クイックコネクトを実行せずに、データ通信をＣＰＵが実行し、上記クイックコネクトの有効が選択されているときには、上記クイックコネクトを実行し、データ通信をＣＰＵが実行する制御ステップと；
を実行するためのコンピュータ読み取り可能な通信プログラムであり、
上記クイックコネクトの有効、無効を記憶し、
上記クイックコネクトの有効が選択され、事前にＩＴＵ−Ｔ勧告Ｖ．９２に対応する通信が成立している相手に発呼する場合に、クイックコネクトを実行することを特徴とする通信プログラム。
【請求項７】
モデムを用いて通信する通信プログラムにおいて、
特定のモデムモードでの通信を行う前に、相手モデムとの間で、ＣＰＵが機能情報の交換を行う第１ステップと；
機能情報の交換に引き続いて、通信チャネルの回線特性の測定とレンジングとをＣＰＵが実行する第２ステップと；
さらに等価器とエコーキャンセラのトレーニング、デジタル減損量学習シーケンスをＣＰＵが実行する第３ステップと；
上記第１のステップを少なくとも一部を短縮して行う第４ステップと；
上記第２のステップを少なくとも一部を短縮して行う第５ステップと；
上記第３のステップの少なくとも一部を短縮して行う第６ステップと；
上記第１、第２、第３のステップによる通信を行うか、上記第４、第５、第６のステップによる通信を行うかをＣＰＵが選択するステップと；
上記第４、第５、第６のステップによる通信を行うことが選択され、事前に第１、第２、第３のステップによる通信が成功したあて先へ発呼する場合に、上記第４、第５、第６のステップによる通信をＣＰＵが行うステップと；
を実行するためのコンピュータ読み取り可能な通信プログラム。
【請求項８】
モデムを用いて通信する通信装置において、
特定のモデムモードでの通信を行う前に、相手モデムとの間で、機能情報の交換を行う第１手段と；
機能情報の交換に引き続いて、通信チャネルの回線特性の測定とレンジングとを実行する第２手段と；
さらに等価器とエコーキャンセラのトレーニング、デジタル減損量学習シーケンスを実行する第３手段と；
上記第１のステップを少なくとも一部を短縮して行う第４手段と；
上記第２のステップを少なくとも一部を短縮して行う第５手段と；
上記第３のステップの少なくとも一部を短縮して行う第６手段と；
上記第１、第２、第３の手段による通信を行うか、上記第４、第５、第６の手段による通信を行うかを選択する選択手段と；
を有し、上記第４、第５、第６手段による通信を行うことが選択され、事前に第１、第２、第３手段による通信が成功したあて先へ発呼する場合に、上記第４、第５、第６手段による通信を行うことを特徴とする通信装置。
【発明の詳細な説明】
【０００１】
【発明の属する技術分野】
本発明は、通信装置、特に、ＩＴＵ−Ｔ勧告Ｖ．９２の通信が可能な通信装置、通信方法、およびコンピュータ読み取り可能なプログラムに関する。
【０００２】
【従来の技術】
従来のＩＴＵ−Ｔ勧告Ｖ．９２の通信は、Ｖ．９０の通信に対して、スタートアップの手順が短縮された、いわゆるクイックコネクトの機能が新規に追加されている。
【０００３】
この機能は、相手機との接続に必要な接続時間を短縮することを実現する機能である。ＩＴＵ−Ｔ勧告Ｖ．９２の通信では、以前にＶ．９２の通信が成功した場合、次の通信からクイックコネクトでの接続を実行することができる。
【０００４】
【発明が解決しようとする課題】
ＩＴＵ−Ｔ勧告Ｖ．９２での通信では、一般には、サービスプロバイダと自機との接続で、この間でのデータ通信であるために、クイックコネクトを使用した方が、データ通信での通信時間を短縮することができ、好ましい。
【０００５】
しかし、サービスプロバイダが比較的広い地域をカバーし、その最も距離の長いユーザとのデータ通信では、一時的にＶ．９２の通信が成功したとしても、クイックコネクトによって、データ通信の成功率がダウンすることがあり、通信宛先は常に固定であるので、このデータ通信での不成功は、ユーザにとって実用的ではないという問題がある。
【０００６】
本発明は、サービスプロバイダが比較的広い地域をカバーし、その最も距離の長いユーザとのデータ通信でも、クイックコネクトによって、データ通信の成功率がダウンしない通信装置、通信方法、およびコンピュータ読み取り可能なプログラムを提供することを目的とするものである。
【０００７】
また、本発明は、クイックコネクトを、複数のサービスプロバイダに対して個別に制御可能であり、各サービスプロバイダに対応して適切なクイックコネクトの制御の有無を選択できる通信装置、通信方法、およびコンピュータ読み取り可能なプログラムを提供することを目的とするものである。
【０００８】
【課題を解決するための手段】
本発明は、ＩＴＵ−Ｔ勧告Ｖ．９２に対応する通信装置において、クイックコネクトを有効とするかまたは無効とするかを選択する手段と、上記クイックコネクトの無効が選択されている場合は、上記クイックコネクトを実行せずに、データ通信を実行し、上記クイックコネクトの有効が選択されている場合には、上記クイックコネクトを実行し、データ通信を実行する制御手段と、上記クイックコネクトの有効、無効を記憶する手段とを有し、上記クイックコネクトの有効が選択されて、事前にＩＴＵ−Ｔ勧告Ｖ．９２に対応する通信が成立している相手に発呼する場合に、クイックコネクトを実行する通信装置である。
【０００９】
さらに、本発明は、モデムを用いて通信する通信装置において、特定のモデムモードでの通信を行う前に相手モデムと機能情報の交換を行う第１手段と、機能情報の交換に引き続いて、通信チャネルの回線特性の測定とレンジングを実行する第２手段と、さらに等価器とエコーキャンセラのトレーニング、デジタル減損量学習シーケンスを実行する第３手段と、上記第１のステップを少なくとも一部を短縮して行う第４手段と、上記第２のステップを少なくとも一部を短縮して行う第５手段と、上記第３のステップの少なくとも一部を短縮して行う第６手段と、上記第１、第２、第３の手段による通信を行うか、上記第４、第５、第６の手段による通信を行うかを選択する選択手段とを有し、上記第４、第５、第６手段による通信を行うことが選択され、事前に第１、第２、第３手段による通信が成功したあて先への発呼の場合に、上記第４、第５、第６手段による通信を行う通信装置である。
【００１０】
【発明の実施の形態および実施例】
［第１の実施例］
図１は、本発明の第１の実施例であるファクシミリ装置ＦＳ１を示すブロック図である。ここでは、ファクシミリ装置を例にとって説明するが、これに限らず、サービスプロバイダとの間で通信する通信装置であってもよい。
【００１１】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線側への接続２ａを電話機側に接続（ＣＭＬオフ）したり、電話回線側への接続２ａをファクシミリ装置側に接続（ＣＭＬオン）するものである。なお、通常状態では、電話回線側への接続２ａは、電話機４側に接続されている。
【００１２】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１３】
変復調器８は、ＩＴＵ−Ｔ勧告Ｖ．８、Ｖ．２１、Ｖ．２７ｔｅｒ、Ｖ．２９、Ｖ．１７、Ｖ．３４、Ｖ．３２、Ｖ．３２ｂｉｓ、Ｖ．９０、Ｖ．９２に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１４】
発呼回路１０は、バス２６からの信号によって、電話番号情報を入力し、信号線１０ａに、ＤＴＭＦの選択信号を出力する。
【００１５】
加算回路１２は、信号線８ａの情報と信号線１０ａの情報とを入力し、加算した結果を信号線１２ａに出力する。
【００１６】
読取回路１４は、読み取りデータをバス２６に出力する。
【００１７】
記録回路１６は、バス２６に出力されている情報を順次、１ライン毎に記録する。
【００１８】
メモリ回路１８は、ワーク用のメモリ（ＲＡＭ）と、読み取りデータの生情報と、符号化した情報とを格納し、また、受信情報、または、復号化した情報等を、バス２６を介して、格納するメモリである。
【００１９】
図２は、上記実施例において、メモリ回路１８に記憶されている登録例であり、ＩＴＵ−Ｔ勧告Ｖ．９２通信において、クイックコネクトを有効とするか否かを登録する例を示す図である。
【００２０】
メモリ回路１８には、ＩＴＵ−Ｔ勧告Ｖ．９２通信において、クイックコネクトを有効とするか否かを登録するメモリがあり、図２に示すように登録される。
【００２１】
操作部２０は、ワンタッチダイヤル、短縮ダイヤル、テンキー、＊キー、＃キー、スタートキー、ストップキー、セットキー、メモリ回路１８への登録キー、データ送信選択キー、データ受信選択キー、その他のファンクションキーがあり、押下されたキー情報は、バス２６に出力される。
【００２２】
操作部２０には、表示部があり、バス２６に出力されている情報を入力し、表示する。
【００２３】
ＣＰＵ（中央処理装置）２２は、ファクシミリＦＳ１の全体を制御し、ファクシミリ伝送制御手段を実行し、その制御プログラムはＲＯＭ２４に格納される。
【００２４】
上記制御プログラムは、クイックコネクトを有効とするか無効とするかを選択する手段を実現する制御プログラムの例であり、また、上記クイックコネクトの無効が選択されているときには、上記クイックコネクトを実行せずに、データ通信を実行し、上記クイックコネクトの有効が選択されているときには、上記クイックコネクトを実行し、データ通信を実行する制御手段を実現する制御プログラムの例である。
【００２５】
具体的には、上記制御プログラムは、クイックコネクトの有効が選択されているときには、ショートフェーズ１（Ｖ．９２で規定される送信モデム、受信モデムの機能交換）、ショートフェーズ２（チャネルプロービング即ち回線特性の測定を省略し、レンジングを実行）、フェーズ３を実行（デジタル減損量学習シーケンス（Ｄｉｇｉｔａｌ  Ｉｍａｐａｒｉｒｍｅｎｔ  Ｌｅａｒｎｉｎｇ  ｓｅｑｕｅｎｃｅ）を省略し、等価器とエコーキャンセラのトレーニングを実行）し、さらにフェーズ４（最終トレーニング）を実行し、通信データの送受信が行われる。一方、クイックコネクトの無効が選択されているときには、フルフェーズ１（Ｖ．８またはＶ．８ｂｉｓで規定される送信モデム、受信モデムの機能交換）、フルフェーズ２（チャネルプロービングとレンジング）、フェーズ３（等価器とエコーキャンセラのトレーニング、デジタル減損量学習シーケンス（Ｄｉｇｉｔａｌ  Ｉｍａｐａｒｉｒｍｅｎｔ  Ｌｅａｒｎｉｎｇ  ｓｅｑｕｅｎｃｅ））、フェーズ４（最終トレーニング）を実行させ、その後通信データの送受信を行う。
【００２６】
ここで、クイックコネクトの有効、無効は、操作部２０のメモリ回路１８への登録キーによって登録され、メモリに記憶される。
【００２７】
次に、上記実施例の動作について説明する。
【００２８】
図３、図４、図５、図６、図７は、上記実施例の制御動作を示すフローチャートである。このフローチャートで示すプログラムは、ＲＯＭ２４に格納されている。
【００２９】
Ｓ２では、バス２６を介して、メモリ回路１８をイニシャライズし、Ｓ４では、バス２６を介して、操作部の表示部をクリアし、Ｓ６では、バス２６を介してＮＣＵ２のＣＭＬをオフする。
【００３０】
Ｓ８では、バス２６を介して、操作部の情報を入力し、ＩＴＵ−Ｔ勧告Ｖ．９２通信でのクイックコネクトを有効にするか否かの登録が選択されたか否かを判断し、その登録が選択されていれば、ステップＳ１０に進み、登録が選択されていなければ、ステップＳ１２に進む。
【００３１】
Ｓ１０では、バス２６を介して、メモリ回路１８に、ＩＴＵ−Ｔ勧告Ｖ．９２通信でのクイックコネクトを有効にするか否かの登録を、たとえば、図２に示すように行う。
【００３２】
Ｓ１２では、バス２６を介して、操作部の情報を入力し、データ送信が選択されたか否かを判断し、データ送信が選択されていれば、ステップＳ１６に進み、データ送信が選択されていなければ、ステップＳ１４に進む。
【００３３】
Ｓ１４では、データ受信が選択されたか否かを判断し、データ受信が選択されていれば、ステップＳ４６に進み、データ受信が選択されていなければ、ステップＳ７６に進む。
【００３４】
Ｓ１６では、バス２６を介して、ＮＣＵ２のＣＭＬをオンし、Ｓ１８では、バス２６を介して、発呼回路を使用してサービスプロバイダへ発呼する。
【００３５】
Ｓ２０では、ＩＴＵ−Ｔ勧告Ｖ．９２通信でのクイックコネクトを有効にすることが、メモリ回路１８に登録されているか否かを判断し、クイックコネクトを有効にすることがメモリ回路１８に登録されていれば、ステップＳ２２に進み、クイックコネクトを有効にすることがメモリ回路１８に登録されていなければ、ステップＳ３４に進む。
【００３６】
ステップＳ２２では、Ｖ．９２で通信して成功した相手であるか否かを判断し、成功した相手であれば、ステップＳ２４に進み、成功していない相手であればステップＳ３４に進む。
【００３７】
ここで、ＩＴＵ−ＴＶ．９２による通信が成功している相手である場合は、その際に実行したフェーズ１から、フェーズ３による各種パラメータを記憶するようにし、それをもとに、クイックコネクトを実行すれば、スタートアップの手順を短縮することができる。
【００３８】
Ｓ２４では、ＩＴＵ−Ｔ勧告Ｖ．９２に基づくデータ通信（送信）の実行をスタートする。
【００３９】
Ｓ２６では、ショートフェーズ１を実行（Ｖ．９２で規定される送信モデム、受信モデムの機能交換）し、Ｓ２８では、ショートフェーズ２を実行（チャネルプロービングを省略し、レンジングを実行）し、Ｓ３０では、フェーズ３を実行（デジタル減損量学習シーケンス（Ｄｉｇｉｔａｌ  ＩｍａｐａｒｉｒｍｅｎｔＬｅａｒｎｉｎｇ  ｓｅｑｕｅｎｃｅ）を省略し、等価器とエコーキャンセラのトレーニングを実行）し、Ｓ３２では、フェーズ４（最終トレーニング）を実行し、その後通信データの送受が行われる。
【００４０】
Ｓ３４では、フルフェーズ１（Ｖ．８またはＶ．８ｂｉｓで規定される送信モデム、受信モデムの機能交換）を実行し、Ｓ３６では、相手がＶ．９０以下の通信速度であるか否かを判断し、相手がＶ．９０以下の通信速度であれば、Ｓ３８で、Ｖ．９０以下のデータ通信を実行し、Ｓ６に戻り、相手がＶ．９０よりも速い通信速度、即ちＶ．９２であれば、Ｓ４０に進む。Ｓ４０では、フルフェーズ２（チャネルプロービングとレンジング）を実行し、Ｓ４２では、フェーズ３（等価器とエコーキャンセラのトレーニング、デジタル減損量学習シーケンス（Ｄｉｇｉｔａｌ  Ｉｍａｐａｒｉｒｍｅｎｔ  Ｌｅａｒｎｉｎｇ  ｓｅｑｕｅｎｃｅ））を実行し、Ｓ４４では、フェーズ４（最終トレーニング）を実行し、その後通信データの送受が行われる。
【００４１】
Ｓ４６では、バス２６を介して、ＮＣＵ２のＣＭＬをオンし、Ｓ４８では、バス２６を介して、発呼回路を使用してサービスプロバイダへ発呼する。
【００４２】
Ｓ５０では、バス２６を介して、ＩＴＵ−Ｔ勧告Ｖ．９２通信でのクイックコネクトを有効にすることが、メモリ回路１８に登録されているか否かを判断し、クイックコネクトを有効にすることが、メモリ回路１８に登録されていれば、ステップＳ５２に進み、クイックコネクトを有効にすることが、メモリ回路１８に登録されていなければ、ステップＳ６４に進む。
【００４３】
Ｓ５２では、Ｖ．９２で通信して成功した相手であるか否かを判断し、成功した相手であれば、ステップＳ５４に進み、成功していない相手であれば、ステップＳ６４に進む。
【００４４】
ここで、ＩＴＵ−ＴＶ．９２による通信が成功している相手である場合は、その際に実行したフェーズ１からフェーズ３による各種パラメータを記憶するようにし、それをもとにクイックコネクトを実行すれば、スタートアップの手順を短縮することができる。
【００４５】
Ｓ５４では、ＩＴＵ−Ｔ勧告Ｖ．９２に基づくデータ通信（受信）の実行をスタートする。
【００４６】
Ｓ５６では、ショートフェーズ１（Ｖ．９２で規定される送信モデム、受信モデムの機能交換）を実行し、Ｓ５８では、ショートフェーズ２を実行（チャネルプロービングを省略し、レンジングを実行）し、Ｓ６０では、フェーズ３を実行（デジタル減損量学習シーケンス（Ｄｉｇｉｔａｌ  ＩｍａｐａｒｉｒｍｅｎｔＬｅａｒｎｉｎｇ  ｓｅｑｕｅｎｃｅ）を省略し、等価器とエコーキャンセラのトレーニングを実行）し、Ｓ６２では、フェーズ４（最終トレーニング）を実行し、その後通信データの送受が行われる。
【００４７】
Ｓ６４では、フルフェーズ１（Ｖ．８またはＶ．８ｂｉｓで規定される送信モデム、受信モデムの機能交換）を実行し、Ｓ６６では、相手がＶ．９０以下のモデムしかサポートしていないか否かを判断し、Ｖ．９０以下のモデムしかサポートしていない場合は、Ｓ６８に進む。Ｓ７０では、フルフェーズ２（チャネルプロービングとレンジング）を実行し、Ｓ７２では、フェーズ３（等価器とエコーキャンセラのトレーニング、デジタル減損量学習シーケンス（Ｄｉｇｉｔａｌ  Ｉｍａｐａｒｉｒｍｅｎｔ  Ｌｅａｒｎｉｎｇ  ｓｅｑｕｅｎｃｅ））を実行し、Ｓ７４では、フェーズ４（最終トレーニング）を実行し、その後通信データの送受が行われる。
【００４８】
Ｓ７６では、受信が選択されたか否かを判断し、受信が選択されれば、ステップＳ８２に進み、受信が選択されなければ、ステップＳ７８に進む。
【００４９】
Ｓ７８では、送信が選択されたか否かを判断し、送信が選択されれば、ステップＳ９０に進み、送信が選択されなければ、ステップＳ８０に進み、その他の処理を実行する。
【００５０】
Ｓ８２では、バス２６を介して、ＮＣＵ２のＣＭＬをオンし、Ｓ８４では、前手順を実行し、Ｓ８６では、ファクシミリ画信号を受信し、記録し、Ｓ８８では、後手順を実行し、Ｓ９０では、バス２６を介して、ＮＣＵ２のＣＭＬをオンし、Ｓ９２では、バス２６を介して発呼回路を使用して指定された宛先へ発呼する。
【００５１】
Ｓ９４では、前手順を実行し、Ｓ９６では、ファクシミリ画信号を読み取り、送信し、Ｓ９８では、後手順を実行する。
【００５２】
上記実施例によれば、ＩＴＵ−Ｔ勧告Ｖ．９２での通信では、一般的には、サービスプロバイダと自機との間で、データ通信するので、クイックコネクトを使用し、データ通信での通信時間を短縮することができ、一方、サービスプロバイダが比較的広い地域をカバーし、その最も距離の長いユーザとのデータ通信で、クイックコネクトによって、データ通信の成功率がダウンする場合には、クイックコネクトを実行せずに、データ通信を確実に実行することができる。
【００５３】
［第２の実施例］
上記第１の実施例においては、クイックコネクトを実行するか否かをファクシミリ装置ＦＳ１に登録する例を説明した。
【００５４】
第２の実施例は、複数のサービスプロバイダ、たとえば、サービスプロバイダＡ、サービスプロバイダＢ、サービスプロバイダＣに対して、クイックコネクトを実行するか否かを、それぞれ独立して登録し、この登録した情報に基づいて、各サービスプロバイダに対応してクイックコネクトの実行の有無を制御する例である。
【００５５】
この場合に、第１の実施例において、図２に示すメモリ回路１８には、各サービスプロバイダ毎に、クイックコネクトを有効にするか否かを登録し、また、図４に示すステップＳ２０、図６に示すステップＳ５０では、メモリ回路１８に登録されている各サービスプロバイダに応じて、クイックコネクトの有無を判断する。
【００５６】
ここでは、ＩＴＵ−Ｔ勧告Ｖ．９２を用いた場合の通信について述べたが、これに限らず、特定のモデムモードでの通信を行う前に、相手モデムと機能情報の交換を行うフェーズと、機能情報の交換に引き続いて通信チャネルの回線特性の測定とレンジングを実行するフェーズと、さらに等価器とエコーキャンセラのトレーニング、デジタル減損量学習シーケンスを実行するフェーズとを経て、データ通信を行うモデムにおいて、各フェーズの少なくとも一部を短縮したフェーズを経て、データ通信を行うモデムに短縮したフェーズによって、通信相手と接続するか否かを選択する選択手段を持たせ、これを、上記実施例に応用するようにしてもよい。
【００５７】
【発明の効果】
本発明によれば、サービスプロバイダが広い地域をカバーし、その最も距離の長いユーザとのデータ通信でも、クイックコネクトによって、データ通信の成功率がダウンしないという効果を奏する。
【００５８】
また、本発明によれば、クイックコネクトを、複数のサービスプロバイダに対して個別に制御可能であり、各サービスプロバイダに対応して適切なクイックコネクトの制御の有無を選択できるという効果を奏する。
【図面の簡単な説明】
【図１】本発明の一実施例であるファクシミリ装置ＦＳ１を示すブロック図である。
【図２】上記実施例において、メモリ回路１８に記憶されている登録例であり、ＩＴＵ−Ｔ勧告Ｖ．９２通信において、クイックコネクトを有効とするか否かを登録する例を示す図である。
【図３】上記実施例の制御動作を示すフローチャートである。
【図４】上記実施例の制御動作を示すフローチャートである。
【図５】上記実施例の制御動作を示すフローチャートである。
【図６】上記実施例の制御動作を示すフローチャートである。
【図７】上記実施例の制御動作を示すフローチャートである。
【符号の説明】
ＦＳ１…ファクシミリ装置、
２…ＣＰＵ、
１８…メモリ回路、
２０…操作部、
２２…ＣＰＵ、
２４…ＲＯＭ。
【図１】
0003652349.tif 000002
【図２】
0003652349.tif 000003
【図３】
0003652349.tif 000004
【図４】
0003652349.tif 000005
【図５】
0003652349.tif 000006
【図６】
0003652349.tif 000007
【図７】
0003652349.tif 000008